(57)【要約】【課題】本発明は、電力量計の試験に係る作業効率を向上させると共に、製造コストを低減可能な自動結線装置を提供する。【解決手段】本発明は、試験時に前記電力量計を設置するための基盤と、一端が前記基盤に設置された前記電力量計に、他端が前記試験装置にそれぞれ接続し、前記電力量計に試験電力を供給する試験電力供給部と、前記試験電力供給部を介して供給された試験電力量を測定するための試験電力測定機構とを含み、前記試験電力測定機構は、基盤の所定箇所に回動可能に軸支される回動アームを備えることを特徴とする。【選択図】  図１
2014153284.tif 000002
【特許請求の範囲】
【請求項１】
電力量計の試験時に該電力量計を設置するための基盤と、前記電力量計との接触部を有すると共に、前記電力量計に試験電力を供給する試験装置とも接続する試験電力供給部とを含み、前記電力量計と前記試験装置とを電気的に結線する自動結線装置であって、
前記試験電力供給部を介して供給された試験電力量を測定する試験電力測定機構を備え、
前記試験電力測定機構は、
前記電力量計の所定箇所から発信された試験電力量情報を受信する電力情報受信部と、
前記電力情報受信部で受信した試験電力量情報を計測する電力情報計測部と、
一端に前記電力情報受信部が配置されると共に、前記基盤に対して、他端側を支点に倒立するよう回動する回動アームとを備え、
試験電力量の測定時、前記回動アームは、前記電力情報受信部と前記電力量計の前記電力情報発信箇所とが各々対向する位置まで回転し、試験電力情報の送受信が行われることを特徴とする自動結線装置。
【請求項２】
前記基盤は、前記試験電力測定機構の前記回動アームを収めるための貫通溝を有し、
前記回動アームの他端側が、前記貫通溝の所定箇所に軸支され、
試験電力量の非測定時、前記回動アームが、前記貫通溝に収まって配設される請求項１に記載の自動結線装置。
【請求項３】
前記基盤は、前記電力量計を載置するための台座を有する請求項１又は２に記載の自動結線装置。
【請求項４】
前記回動アームの長さが可変である請求項１から３のいずれか一項に記載の自動結線装置。
【発明の詳細な説明】
【技術分野】
【０００１】
本発明は、電力量計、特に電子式電力量計の性能試験を行うために、電子式電力量計と試験装置とを電気的に接続する自動結線装置に関する。
【背景技術】
【０００２】
一般住宅、店舗、工場等の建物には、消費電力量を計測する電力量計が設置されているが、電力会社から請求される電力料金は、電力量計が計測した消費電力情報に基づいて計算がされる。そのため、電力量計において、消費電力の計測が正確に出来ていないと、電力料金の計算も誤ったものとなってしまう。そのような事態を回避するため、流通前の電力量計に関して、正確な動作が担保されているか否かを確認する試験が行われている。
【０００３】
上記の試験方法としては、試験対象となる電力量計の電流端子及び電圧端子と、試験装置とを電気的に接続し、試験装置側に備わる電源を駆動させて、電力量計に試験用の電力を供給した後、電力量計において計測された電力量情報と、実際に試験装置から供給された参照用の電力量情報とを比較する手法が採られる。この試験において、電力量計の端子と試験装置とを接続するために、自動結線装置が用いられる。
【０００４】
ここで、実際に試験装置から供給された電力量情報と、電力量計において計測された電力量情報とを比較する技術として、下記特許文献１に記載の技術が開示されている。特許文献１に記載の技術は、供給された電力量情報に応じた情報を発信する情報発信部を備える電子式電力量計の試験に用いられるもので、情報発信部からの電力量情報を受信する情報受信部を備えるアームが、試験用に設置された電力量計の側方に配置される構成である。アームが、電力量計の正面側を回転し、情報受信部と情報発信部とが対向するまで移動することで、電力量情報の送受信が行われ、送信された電力量情報と、参照用電力量情報とを比較して試験を行うものである。
【先行技術文献】
【特許文献】
【０００５】
【特許文献１】特開２０１２−８３３１９号公報
【発明の概要】
【発明が解決しようとする課題】
【０００６】
特許文献１に記載の発明は、前記アームが、アーム取付部の上面に取り付けられる構成である。アーム取付部は、所定の高さを有する略直方体状の部材である。そのため、試験時に電力量計を設置する又は取り外す際、このアーム取付部によって、電力量計の移動が、所定の方向に制限されてしまう。従って、試験に係る作業効率が低減するという課題を有する。また、電力量計の設置又は取外し作業の際、電力量計がアーム取付部に接触し、どちらかが破損するという可能性もある。さらに、別途アーム取付部を設置しなければならないという点で、製造コストが掛かるという課題がある。
【０００７】
上記課題に鑑み、本発明は、試験時の電力量計の設置又は取外しの際の電力量計の移動に制限を与えることなく、作業効率を向上させると共に、作業時の電力量計の破損などの不具合を解消することが可能な自動結線装置を提供することを目的とする。また、製造コストの低減可能な自動結線装置を提供することを目的とする。
【課題を解決するための手段】
【０００８】
前記課題を解決するための本発明に係る自動結線装置は、
電力量計の試験時に該電力量計を設置するための基盤と、前記電力量計との接触部を有すると共に、前記電力量計に試験電力を供給する試験装置とも接続する試験電力供給部とを含み、
前記試験電力供給部を介して供給された試験電力量を測定する試験電力測定機構を備え、
前記試験電力測定機構は、
前記電力量計の所定箇所から発信された試験電力量情報を受信する電力情報受信部と、
前記電力情報受信部で受信した試験電力量情報を計測する電力情報計測部と、
一端に前記電力情報受信部が配置されると共に、前記基盤に対して、他端側を支点に倒立するよう回動する回動アームとを備え、
試験電力量の測定時、前記回動アームは、前記電力情報受信部と前記電力量計の前記電力情報発信箇所とが各々対向する位置まで回転し、試験電力情報の送受信が行われることを特徴とする。
【０００９】
また、本発明に係る自動結線装置は、
前記基盤が、前記試験電力測定機構の前記回動アームを収めるための貫通溝を有し、
前記回動アームの他端側が、前記貫通溝の所定箇所に軸支され、
試験電力量の非測定時、前記回動アームが、前記貫通溝に収まって配設されることが好ましい。さらに、前記基盤は、前記電力量計を載置するための台座を有することが好ましく、前記回動アームの長さが可変であることが好ましい。
【発明の効果】
【００１０】
本発明によれば、回動アームは、基盤に軸支され、この基盤に対して倒立するよう回転移動する構成である。そのため、試験時の電力量計の設置又は取外しの際に、基盤と密接する位置まで回動アームを移動することが可能となり、電力量計の移動が制限されない。よって、作業効率を向上させると共に、作業時の電力量計の破損などの不具合を解消することが可能な自動結線装置を提供することができる。また、回動アームを基盤に軸支するという簡易な構成であるため、製造コストの低減可能な自動結線装置を提供することができる。
【図面の簡単な説明】
【００１１】
【図１】回動アームが倒立した状態の自動結線装置の正面図。
【図２】回動アームが初期位置にある場合の自動結線装置の正面図。
【図３】自動結線装置の側面図。
【発明を実施するための形態】
【００１２】
以下、図面を参照して本発明の望ましい実施形態を詳細に説明する。但し、本発明は多くの異なる態様で実施することが可能であり、以下に示す実施の形態の記載内容に限定して解釈されるものではない。
【００１３】
次に、図１〜図３を参照して、本発明の一実施形態に係る自動結線装置の全体構成について説明する。図１は、回動アーム（後述）が倒立した状態の、本発明に係る自動結線装置の正面図、図２は、回動アームが初期位置にある状態の、本発明に係る自動結線装置の正面図、図３は、本発明に係る自動結線装置の側面図である。なお、回動アームが倒立した状態とは、図１及び図３に示すように、実線で描かれる回動アームが、基盤（後述）に対して略直角になる状態を言う。また、回動アームが初期位置にある状態とは、図２に示すように、回動アームが基盤に密接する状態を言う。
【００１４】
図１及び図２に示すように、本実施形態に係る自動結線装置１０は、基盤１００と、試験電力供給部２００と、試験電力測定機構３００と、昇降機構４００等を含む構成である。図１に示すように、基盤１００上に電子式電力量計５００が設置される。この自動結線装置１０を用いて、試験時に試験電力供給部２００に試験電力を供給する試験装置（図示しない）と電子式電力量計５００とが結線される。
【００１５】
基盤１００は、上述したように電子式電力量計５００を設置するための部材で、本実施形態では、板状の形状を有する。図２に示すように、基盤１００は、電子式電力量計５００を載置するための台座１１０を備えてもよい。
【００１６】
試験電力供給部２００は、電子式電力量計５００及び試験装置（電子式電力量計５００に供給する電力を発生させる装置）に接続され、試験装置より供給される試験電力を電子式電力量計５００に送るためのものである。試験電力供給部２００と電子式電力量計５００とは、試験電力供給部２００に備わる接触部を介して接続される。
【００１７】
試験電力供給部２００は、電子式電力量計５００の電流端子と接触する電流端子接触部２１０と、電子式電力量計５００に所定電圧を印加する電圧印加部２２０と、電流端子接触部２１０と電圧印加部２２０とを支持固定する絶縁ブロック２３０とを含む構成である。ここで、電流端子接触部２１０が、前述した電子式電力量計５００との接触部として機能する。
【００１８】
図１に示すように、電子式電力量計５００の電流端子は、この底面に設けられる電流端子を配置するための端子配置用孔５１０内に設置される。自動結線装置１０の電流端子接触部２１０は、端子配置用孔５１０に挿入され、電流端子と接触する。１２０Ａ用の電子式電力量計５００などでは、供給される電流が極めて大きいものとなる。そのため、電流端子と電流端子接触部２１０の接点が、隙間なく密着するような形態とすることが好ましい。
【００１９】
ここで、電流端子接触部２１０は、試験装置とも電気的に接続される（図３参照）。これにより、試験装置から供給される試験電力が、電流端子接触部２１０を介して電子式電力量計５００に送られる。電流端子接触部２１０と試験装置との接続は、所望の電力が電流端子接触部２１０に供給可能なものであれば特に限定されるものではない。
【００２０】
試験電力測定機構３００は、電子式電力量計５００から発信される試験電力量情報を測定するためのものである。一般的に電子式電力量計５００は、試験装置から供給された試験電力量に対応した情報を発信する電力情報発信部５２０を備える。本実施形態で利用される電子式電力量計５００の電力情報発信部５２０は、パルス状の赤外光によって試験電力量情報を発信する。
【００２１】
本実施形態では、試験電力測定機構３００は、この電力情報発信部５２０から発信された試験電力量情報を受け取り、受信した試験電力量情報をもとに、電子式電力量計５００によって計測された試験電力量を測定する。また、測定された試験電力量と、実際に電子式電力量計５００に供給された参照用の試験電力量とを比較し、電子式電力量計５００が、正確に電力量を計測しているか否かを判定する機能を有していてもよい。
【００２２】
試験電力測定機構３００は、電力情報受信部３１０と、電力情報計測部（図示しない）と、回動アーム３２０等を含む構成である。電力情報受信部３１０は、電子式電力量計５００の電力情報発信部５２０から試験電力量情報を受信するものである。本実施形態では、電力情報受信部としてフォトダイオード等の受光素子を用いているが、試験電力量情報を受信可能なものであれば、これに限られない。
【００２３】
電力情報計測部は、電力情報受信部３１０によって受信された試験電力量情報を受け取り、この試験電力量情報に基づいて、電子式電力量計５００によって測られた試験電力量がいくらであるかを計測するものである。また、電力情報計測部は、上述した参照用の試験電力量との比較手段や、電力量の正確な計測が行われているか否かの判定手段を備えていてもよい。
【００２４】
回動アーム３２０は、電力情報受信部３１０を電子式電力量計５００の電力情報発信部５２０に対向する位置まで移動させるためのものである。本実施形態では、図１に示すように、電力情報受信部３１０は、回動アーム３２０の端部３２０Ａに取り付けられる。
【００２５】
また、基盤１００に貫通溝１２０を設け、そこに回動アーム３２０を配置するようにしてもよい。この場合、回動アーム３２０の他端側３２０Ｂが、例えば貫通溝１２０の側壁に設けられる軸１２２に軸支され、これを支点に回動可能に配置されることが好ましい。本実施形態では更に、倒立した状態の回動アーム３２０（図３の実線）を支持するための支持具１２１を貫通溝１２０に取り付けるようにしている。なお、回動アーム３２０を軸支する箇所にモータ等の駆動装置を設け、それを起動させて機械的に回動アーム３２０を回動させるようにしてもよい。ただし、回動アーム３２０を手動で動かす形態を採用してもよいことはもちろんである。
【００２６】
なお、基盤１００に貫通溝１２０を設けず、基盤１００の表面（電子式電力量計５００が設置される方の面）上の所定箇所に、回動アーム３２０の他端側３２０Ｂを取り付けてもよい。この場合、回動アーム３２０は、その他端側３２０Ｂを支点に倒立可能に取り付けられる。
【００２７】
上記回動アーム３２０を設けることで、例えば、試験前後などの非使用時では、回動アーム３２０全体を基盤１００に密接させる位置まで移動させることができる。従って、電子式電力量計５００を基盤１００に設置又は取外す際、特許文献１に記載の技術とは異なり、例えば図１上方のみならず側方からでも電子式電力量計５００を移動させることができる。すなわち、電子式電力量計５００の設置又は取外しのための移動に対する制限が大幅に減り、試験に係る作業効率の向上、電子式電力量計５００が他の部材に触れて破損してしまう等の不具合を解消することができる。
【００２８】
また、基盤１００に台座１１０を設けた場合、電子式電力量計５００が更に前方（図１手前側）に配置されるため、電子式電力量計５００の設置又は取外しのための移動に対する制限がより一層緩和される。
【００２９】
なお、回動アーム３２０は、図１の矢印Ａ及びＢのように、その長さを調整する機構を備えていてもよい。これにより、回動アーム３２０の端部３２０Ａに取り付けられた電力情報受信部３１０の位置を、例えば、電子式電力量計の種類によって異なる電力情報発信部５２０の位置に合せて調整することができる。
【００３０】
更に、電力情報受信部３１０と回動アーム３２０とは、電力情報受信部３１０を図１の矢印のように回転させることが可能な軸３３０を介して接続するようにしてもよい。このような形態とすることで、電力情報受信部３１０が、電力情報発信部５２０の正面に配置されるよう位置調節を行うことが可能となり、発信された情報を受け取れないなどの不具合を防止することができる。
【００３１】
昇降機構４００は、試験電力供給部２００と連結し、これを昇降させるためのものである。本実施形態では、昇降機構４００は、電流端子接触部２１０等の試験電力供給部２００の上昇又は下降を担うシャフト４１０と、シャフト４１０を昇降移動させるシャフト昇降部４２０と、電流端子接触部２１０を支持固定する支持部材４３０とを含む構成である。また、支持部材４３０は、シャフト４１０に係止される。シャフト昇降部４２０は、シャフト４１０を昇降移動させることが可能なものであれば特に限定されないが、電動アクチュエーターなどが考えられる。
【００３２】
次に、本発明に係る自動結線装置１０の作用を説明する。まず、電子式電力量計５００を基盤１００に設置する。このとき、電子式電力量計５００を例えば図１上方側から移動させ、電流端子接触部２１０を電子式電力量計５００の端子配置用孔５１０に挿入する。これにより、電子式電力量計５００の位置を固定する。
【００３３】
次に、昇降機構４００のシャフト昇降部４２０を駆動させ、シャフト４１０を図１上方に移動させる。シャフト４１０が上方に移動することで、それに支持固定される電流端子接触部２１０も連動して上方に移動し、電子式電力量計５００の電流端子と、電流端子接触部２１０とが接触する。これによって、試験装置と電子式電力量計５００とが結線され、電子式電力量計５００に試験電力が供給可能な状態となる。
【００３４】
また、基盤１００に電子式電力量計５００が設置された段階で、機械的又は人的手段で回動アーム３２０を初期位置から倒立した状態まで回動させる。これにより、電力情報受信部３１０が、電子式電力量計５００の電力情報発信部５２０と対向する位置まで移動する。この動作は、基盤１００に電子式電力量計５００が設置された後であれば、上述の試験装置と電子式電力量計５００の結線作業の前後に関わらず行うことができる。
【００３５】
上述の結線作業及び回動アーム３２０の回動の後、試験装置を駆動し、電子式電力量計５００に試験電力を供給する。このとき、電子式電力量計５００の電力情報発信部５２０から試験電力量情報が発信される（本実施形態の場合、パルス状の赤外光）。電力情報受信部３１０は、発信された試験電力量情報を受信する。
【００３６】
電力情報受信部３１０において受信された試験電力量情報は、電力情報計測部に送信される。送信された試験電力量情報は、例えば電力情報計測部において、電子式電力量計５００によって計測したとされる電力量として測定される。この電力量と、実際に電子式電力量計５００に供給された電力量（参照用）とが比較され、電子式電力量計５００の計測が、正確に行われているか否かが判定される。なお、上記電力量の比較手順及び判定手順は、電力情報計測部において行ってもよいし、他の計測装置や情報処理装置などで行ってもよい。
【００３７】
計測終了後、試験装置の駆動を停止し、電子式電力量計５００への試験電力の供給を止めた後、昇降機構４００のシャフト昇降部４２０を駆動させ、シャフト４１０を図１下方に移動させる。それと共に、試験電力供給部２００の電流端子接触部２１０が下降し、電子式電力量計５００の端子配置用孔５１０と電流端子接触部２１０との接触を解除する。
【００３８】
最後に、倒立した状態の回動アーム３２０を初期位置に戻し、電子式電力量計５００を基盤１００から取り外し、試験が終了する。なお、電子式電力量計５００の基盤１００への設置又は取外しとして、図１上方又は下方と記載しているが、回動アーム３２０の初期位置が、基盤１００に密接した位置にあるため、図１側方からも電子式電力量計５００の設置・取外しを行うことも可能である。
【符号の説明】
【００３９】
１０        自動結線装置
１００      基盤
１１０      台座
１２０      貫通溝
１２１      支持具
１２２      軸
２００      試験電力供給部
２１０      電流端子接触部
２２０      電圧印加部
２３０      絶縁ブロック
３００      試験電力測定機構
３１０      電力情報受信部（フォトダイオードなどの受光素子）
３２０      回動アーム
３２０Ａ    回動アームの端部
３３０      回動アームの端部の軸部
４００      昇降機構
４１０      シャフト
４２０      シャフト昇降部
４３０      電流端子接触部２１０の支持部材
５００      電子式電力量計
５１０      電流端子接触部２１０を配置するための孔
５２０      電力情報発信部（赤外パルス光の発光素子）
【図１】
2014153284.tif 000003
【図２】
2014153284.tif 000004
【図３】
2014153284.tif 000005